(57)【要約】【課題】  本発明は、保管温度を逸脱した時刻を特定可能な温度履歴表示体を提供することを目的とする。【解決手段】  上記課題を解決するために、本発明に係る温度履歴表示体は、顕色剤を保持した連続多孔質体からなる顕色層と、表面に発色剤を保持した連続多孔質体からなる発色層と、顕色層と発色層とを遮断するバリア層と、を備え、バリア層は、顕色層と発色層との間に配置され、顕色層及び発色層と水平方向に隣接していることを特徴とする。【選択図】図１
2018184488.tif 000002
【特許請求の範囲】
【請求項１】
顕色剤を保持した連続多孔質体からなる顕色層と、
表面に発色剤を保持した連続多孔質体からなる発色層と、
前記顕色層と前記発色層とを遮断するバリア層と、を備え、
前記バリア層は、前記顕色層と前記発色層との間に配置され、前記顕色層及び前記発色層と水平方向に隣接していることを特徴とする温度履歴表示体。
【請求項２】
請求項１に記載の温度履歴表示体であって、
前記顕色剤は、前記バリア層が除去されると、前記発色層の前記バリア層側から前記顕色剤が拡散することを特徴とする温度履歴表示体。
【請求項３】
請求項１又は２に記載の温度履歴表示体であって、
前記発色剤は、前記発色層の長手方向に所定の間隔をもって保持されていることを特徴とする温度履歴表示体。
【請求項４】
請求項１乃至３のいずれか一項に記載の温度履歴表示体であって、
前記顕色剤は液体であることを特徴とする温度履歴表示体。
【請求項５】
請求項１乃至４のいずれか一項に記載の温度履歴表示体であって、
前記バリア層は、所定温度を超えると融解又は軟化するバリア剤を保持した連続多孔質体であることを特徴とする温度履歴表示体。
【請求項６】
請求項５に記載の温度履歴表示体であって、
所定温度を超えると前記バリア剤が融解又は軟化し、前記顕色剤が前記発色層に拡散することにより前記発色剤が発色することを特徴とする温度履歴表示体。
【請求項７】
請求項１乃至６のいずれか一項に記載の温度履歴表示体であって、
非多孔質体からなる基材を備え、
前記顕色層、前記発色層、及び前記バリア層は、前記基材上に配置していることを特徴とする温度履歴表示体。
【請求項８】
請求項１乃至６のいずれか一項に記載の温度履歴表示体であって、
前記発色層は、主鎖部と記主鎖部から分岐した枝部とを有する構造であり、前記枝部に発色剤を保持していることを特徴とする温度履歴表示体。
【請求項９】
請求項８に記載の温度履歴表示体であって、
前記枝部は、前記顕色層から遠ざかる方向に前記主鎖部から分岐していることを特徴とする温度履歴表示体。
【請求項１０】
請求項１乃至６のいずれか一項に記載の温度履歴表示体であって、
前記基材、前記発色層、前記顕色層、及び前記バリア層は、保護層で覆われていることを特徴とする温度履歴表示体。
【請求項１１】
請求項１乃至７のいずれか一項に記載の温度履歴表示体であって、
前記発色層の前記発色剤が保持されている面とは反対の面に、白色の部材を備えることを特徴とする温度履歴表示体。
【請求項１２】
請求項１乃至７のいずれか一項に記載の温度履歴表示体であって、
前記発色層の前記発色剤が保持されている面とは反対の面に設けられた粘着層と、
前記粘着層から取り外し可能なフィルムと、を備えることを特徴とする温度履歴表示体。
【請求項１３】
請求項１２に記載の温度履歴表示体であって、
前記粘着層は、アルミニウム粒子を含むことを特徴とする温度履歴表示体。
【請求項１４】
請求項１乃至７のいずれかに記載の温度履歴表示体であって、
前記顕色層の厚さは、前記発色層の厚さよりも厚く、
前記発色層の長手方向の長さは、前記顕色層の長手方向の長さよりも長いことを特徴とする温度履歴表示体。
【請求項１５】
請求項１乃至７のいずれか一項に記載の温度履歴表示体であって、
前記発色層と前記顕色層は、前記発色層が最表面になるように前記発色層と前記顕色層の接触を防ぐ遮蔽部材を介して垂直方向に積層されていることを特徴とする温度履歴表示体。
【発明の詳細な説明】
【技術分野】
【０００１】
本発明は、所定の温度を超えたことを表示可能な温度履歴表示体に関する。
【背景技術】
【０００２】
医薬品、冷凍食品等、世の中には冷蔵、或いは冷凍保存する必要のある商品が非常に多い。工場で製造されたこれらの商品はそのまま保冷機能を有する車両等で病院、スーパー、卸売業者等の顧客に輸送される。
【０００３】
商品の変質を防ぐためには、輸送・保管の際、適正な温度で管理しなければならない。適正な温度で管理されないと、医薬品の場合は薬効の低下や有害な物質が発生、或いは増加するといった問題が生じる。また冷凍食品の場合も変性による味、風味の劣化、腐敗等の変質といった問題が生じる。
【０００４】
そのため、ＥＵ（Ｅｕｒｏｐｉａｎ  Ｕｎｉｏｎ）では医薬品について適切な温度管理等を定めたＧｏｏｄ  Ｄｉｓｔｒｉｂｕｔｉｏｎ  Ｐｒａｃｔｉｃｅ  ｏｆ  Ｍｅｄｉｃａｌ  Ｐｒｏｄｕｃｔｓ  ｆｏｒ  Ｈｕｍａｎ  Ｕｓｅ（２０１３／Ｃ  ６８／０１）が２０１３年９月より施行されている。これにより、医薬品を輸送するコンテナ内の温度管理は温度センサによるリアルタイム管理、ペンレコーダー等による記録が行われるようになってきた。工場からかなりの数がまとまって輸送される場合、このような管理が可能であるが、卸売り業者から１個〜数個ずつ病院等に搬送される場合はここまで厳密な管理は、人員・コスト等の観点から困難な状況である。
【０００５】
そこで、ある一定の温度（保存上限温度）に達した場合に不可逆的に着色する不可逆的サーモクロミックマーキングが検討されている。これは保管温度が適切であれば発色しないが、保管温度が適正値を超えると発色し、再び冷却してもその発色が消色しないマーキングである。このようなマーキングを行うことにより適正な保管温度を超えた履歴が残り、このことが商品の変性が起こった場合の原因と判断することが可能となる。
【０００６】
不可逆的な発色により保存の上限温度を超えたことを示すことを目的として、特許文献１には、ある一定温度以上になると、検温剤層が特定温度以下で液状化し、顕色剤層と発色剤層が接触して不可逆的に発色する温度履歴表示体が記載されている。
【先行技術文献】
【特許文献】
【０００７】
【特許文献１】特開平１０−２８７８６３号公報
【発明の概要】
【発明が解決しようとする課題】
【０００８】
特許文献１に開示されている温度履歴表示体では、商品が生産現場から顧客に到着するまでの間に所定の温度を超えたことを表示することはできるが、いつ、どの輸送業者において保管温度以上の温度に保管したか不明である。
【０００９】
そこで、本発明は、保管温度を逸脱した時刻を特定可能な温度履歴表示体を提供することを目的とする。
【課題を解決するための手段】
【００１０】
上記課題を解決するために、本発明に係る温度履歴表示体は、顕色剤を保持した連続多孔質体からなる顕色層と、表面に発色剤を保持した連続多孔質体からなる発色層と、顕色層と発色層とを遮断するバリア層と、を備え、バリア層は、顕色層と発色層との間に配置され、顕色層及び発色層と水平方向に隣接していることを特徴とする。
【発明の効果】
【００１１】
本発明によれば、保管温度を逸脱した時刻を特定可能な温度履歴表示体を提供することができる。
【図面の簡単な説明】
【００１２】
【図１】本発明の一実施形態に係る温度履歴表示体の断面模式図である。
【図２】本発明の一実施形態に係る温度履歴表示体の使用方法を示す図である。
【図３】本発明の一実施形態に係る温度履歴表示体の使用方法を示す図である。
【図４】主鎖部と枝部とを有する発色層を備える温度履歴表示体の模式図及びその使用方法を示す図である。
【図５】主鎖部と枝部とを有する発色層を備える温度履歴表示体の模式図及びその使用方法を示す図である。
【図６】分割した発色層を備える温度履歴表示体の模式図及びその使用方法である。
【図７】本発明の一実施形態に係る温度履歴表示体の模式図である。
【図８】本発明の一実施形態に係る温度履歴表示体の模式図である。
【図９】本発明の一実施形態に係る温度履歴表示体の模式図である。
【図１０】本発明の一実施形態に係る温度履歴表示体の模式図である。
【図１１】本発明の一実施形態に係る温度履歴表示体の模式図である。
【図１２】本発明の一実施形態に係る温度履歴表示体の模式図である。
【図１３】本発明の一実施形態に係る温度履歴表示体の使用方法の一例である。
【発明を実施するための形態】
【００１３】
本発明は、ある一定以上の温度に曝された後、ある一定時間経ると不可逆的に発色、或いは変色する温度・時間トレーサビリティデバイスに関し、具体的にはデバイスの構造、それを用いた商品管理プロセス、機構等に関する。
【００１４】
サーモクロミックマーキング（温度履歴表示体）を装着した商品が生産現場から顧客に到着するまで、複数の輸送業者によって配送される場合、そのマーキングが顧客到着時に発色していても、どの輸送業者が保管温度を超える温度に保管したかは不明である。それぞれの輸送業者がその商品を何時から何時まで預かっていたかタイムテーブルで管理できている場合、顧客到着のどれくらい前に保管温度を超える温度に保管したかが判れば、管理温度を逸脱した輸送業者を特定できる。つまり保管温度を超える温度に保管した時刻を示すサーモクロミックマーキングが望まれている。
【００１５】
そこで、我々は鋭意検討を行った結果、顕色剤と、所望の管理温度以上で溶解、或いは軟化する物質を保持した連続多孔質体と、部分的に発色剤が付着した連続多孔質体が連結した構造物が上記課題を解決する手段であることを見出し、本発明に至った。
【００１６】
ここで発色剤とは、医薬品、冷凍食品などの製品（以下、印字基材と記述）に接触する際は無色、或いは淡色であり、酸性、或いは塩基性の薬品と接することにより発色する薬剤と定義する。また顕色剤とは酸性、或いは塩基性を示す無色、或いは淡色の薬剤と定義する。連続多孔質体とは、複数の気孔から構成されており、隣接した気孔間の壁が開口している素材をいう。
【００１７】
以下、図面等を用いて、本発明の実施形態について説明する。
【００１８】
（１）基本構造
本発明に係る温度履歴表示体の断面模式図を図１に示す。温度履歴表示体は、顕色剤を保持した連続多孔質体からなる顕色層１と、表面に発色剤３を保持した連続多孔質体からなる発色層４と、発色層と顕色層とを遮断するバリア層２と、を備える。顕色層、発色層、バリア層は、非多孔質部材からなる基材上に配置してもよい。バリア層２は顕色層１と発色層４の間に配置され、顕色層、発色層のそれぞれと水平方向に隣接している。
【００１９】
発色剤は、連続多孔質体の表面に所定の間隔をもって保持されていることが好ましい。発色剤の位置を調整することによりバリア層が除去されてからの経過時間を容易に推定できる。
【００２０】
顕色剤は、連続多孔質体を拡散する必要があるため、液体であることが好ましい。
【００２１】
バリア層は、発色層と顕色層とを遮断する役割を担う。バリア層としては、例えば、所定の温度で溶解あるいは軟化するバリア剤を保持した連続多孔質体を用いることができる。ここで、バリア剤とは、所望の管理温度以上で融解、或いは軟化する物質をいう。
【００２２】
顕色剤、バリア剤、発色剤は同じ連続多孔質体に染み込ませても、別々の連続多孔質体に染み込ませてもかまわない。ただし、別々の連続多孔質体に染み込ませた場合は、互いの連続多孔質体を接触させておく必要がある。これは顕色剤をバリア剤の溶解、或いは軟化後に発色剤を部分的に染み込ませた連続多孔質体に浸透させる必要があるためである。
【００２３】
発色層の発色剤が保持されている面とは反対の面には、粘着層５及び粘着層から取り外し可能なフィルム（離形フィルム）６とを備えていても良い。温度履歴表示体を商品に固定する際は、離形フィルム６を剥がし、露出する粘着層５を商品に接触させることにより容易に接着できる。粘着層５、離形フィルム６は、基材の替わりとして用いても良い。
【００２４】
次に本発明のデバイスの使用方法について図２を用いて説明する。顕色剤はバリア層が無ければ発色層側に浸透し始めるが、バリア層によりその浸透が止められている。バリア層が取り除かれる（融解する）と顕色剤が発色層へ拡散する。ある程度の時間が経過すると顕色剤が発色剤に接触し、発色した発色剤８が形成される。このように、バリア層が除去されると発色剤のバリア層側から顕色剤が拡散することによって発色剤が発色する。
【００２５】
バリア剤の部分からの距離が離れるほど顕色剤の到達時間が長くなるので、図２の発色剤のドットはバリア剤からの距離が離れるほど発色するまでの時間が長くなる。つまり発色剤のドットとバリア剤の距離によって、バリア層が除去されてからの経過時間が判る。
【００２６】
例えば、バリア層を所定の温度で融解或いは軟化するバリア剤を保持した連続多孔質体とした場合には、所定温度を超えた環境に商品を曝すと、顕色剤の拡散を防止していたバリア剤が融解或いは軟化する。その結果、バリア剤が顕色剤の動きを止められなくなり、顕職剤が発色層へと浸み込んでいき、バリア層側の発色剤から順に発色する。このように所定の温度で融解或いは軟化するバリア剤を保持した連続多孔質体とすると、管理温度を逸脱した時刻を特定することができる。
【００２７】
図３は、本発明の一実施形態に係る温度履歴表示体の上面図である。（ａ）は適切温度管理状態における温度履歴表示体、（ｂ）は管理温度を超え、バリア剤が融解したときの温度履歴表示体、（ｃ）（ｄ）は発色剤が変色又は発色したときの温度履歴表示体である。管理温度を超えると温度履歴表示体は（ｂ）〜（ｄ）の順に変化する。ドット状の発色剤４の付近には目盛９が設けられており、発色したドットに対応する目盛をみることにより保管温度を超えた後の経過時間が判る。
【００２８】
発色層は、主鎖部と、主鎖部から分岐した枝部とを有する構造としてもよい。図４に主鎖部と枝部とを有する発色層を備える温度履歴表示体を示す。図４において、発色剤は、枝部に保持されている。顕色剤が発色剤と接触し発色した場合、発色したドットは顕色剤の動きを妨げることがある。これは発色構造が発色剤に比べて極性が大きい場合に生じる。また発色したドットも顕色剤とともに徐々に拡散するため、ドットがテーリングする事象も発生することがある。図４のように、主鎖部と枝部とを有し、枝部に発色剤を保持した発色層を用いることにより、発色部分の顕色剤の移動の妨げを抑制できる。
【００２９】
図５は、主鎖部１４に対して木の枝のように斜め上方向に枝部１５が形成された発色層１３を備える温度履歴表示体である。図５のように枝部が、顕色層から遠ざかる方向に主鎖部から分岐している発色層を用いることにより主鎖部分を浸透する顕色剤は発色部分の妨げを更に受けにくくなる。
【００３０】
また、図６に示すように１つの連続多孔質体に１個の発色剤を染み込ませたドットを有するようにした、つまり発色剤ごとに分割した発色層１６を用いることにより、発色部分の顕色剤移動の妨げが防止できる。
【００３１】
発色層、顕色層、バリア層は、保護層で覆われていることが好ましい。保護層としては、例えば透明なフィルムを用いることができる。図７に発色層、顕色層、及びバリア層が透明なフィルムで覆われた温度履歴表示体を示す。ここで、透明とは、フィルム下部の印字が目視で視認できる程度であればよい。また、フィルムは人間の可視領域である４００〜７００ｎｍの波長域において、４００ｎｍ、７００ｎｍ以外の波長で吸収極大を持たない物質であることが好ましい。発色層、顕色層、バリア層をフィルムで覆い密封することにより、顕色剤に含まれる溶媒の揮発を抑制できる。その結果、デバイスとしての保管寿命を延ばすことができる。
【００３２】
発色層の裏面には白色の部材が配置されていることが好ましい。図８に発色層の裏面に白色のフィルム１８が配置された温度履歴表示体を示す。本発明に係る温度履歴表示体は、発色により保管温度を超えた温度に曝されたか否かを確認するため、発色層の裏面が白色であることにより、視認性が向上する。
【００３３】
発色層、顕色層、バリア層の裏面には粘着層を設けても良い。図９に粘着層を設けた温度履歴表示体を示す。粘着層を設けることにより、温度履歴表示体の商品への固定が容易となる。また、商品の温度が温度履歴表示体に敏速に伝わるように粘着層に熱伝導性の高いアルミ粒子を分散することが好ましい。アルミ粒子を分散した粘着層を用いることにより温度変化に対するレスポンスが向上する。
【００３４】
顕色層、バリア層、及び発色層の厚さは同一である必要はない。例えば、図１０に示すように顕色層の厚さを厚く、かつ長手方向の長さを短くしてもよい。このようにすることにより、発色層の表示面積を稼ぐことができ、デバイスに占める視認部分の面積が大きくなり視認性が向上する。
【００３５】
また、図１１に示すようにバリア層に発色層が食い込むような構造としてもよい。このような構造とすることにより、商品からの熱によりバリア剤が即座に溶解するので、保管温度以上に曝される際のレスポンスが向上する。
【００３６】
更に、図１２に示すように、バリア層を屈曲させ、２つ折りとし、発色層が表、顕色層が裏となるようにしてもよい。このように発色層が最表面になるように発色層と顕色層の接触を防ぐ遮蔽部材を介して発色層と顕色層とが垂直方向に積層されている温度履歴表示とすることで、発色層表面の面積を大きくでき、視認性が格段に向上する。その際、バリア剤が溶解しなくとも顕色剤が発色剤に触れるような不具合が発生しないよう、顕色剤と発色剤とを遮断する遮断部材２０を設ける必要がある。
【００３７】
＜連続多孔質体＞
発色層は、表面に発色剤を保持した連続多孔質体からなる。連続多孔質体は、顕色剤、発色剤、バリア剤をドープ可能なように細かな細孔が存在し、しかも顕色剤が内部を浸透できるよう連続多孔質になっている。材質は、顕色剤、発色剤、バリア剤が長期間接触していても変性しないような材質が求められる。そのため、高分子として具体的にはポリエチレン、或いはポリプロピレン、セルロースなど、通常の有機溶媒に溶解しにくい材質が好適である。無機化合物としては二酸化珪素も好適である。
【００３８】
構造としては、一般的なスポンジ、不織布、織布等が挙げられる。セルロースの場合は書籍、書類を作成時に用いられる用紙でもかまわない。また、二酸化珪素、ポリエチレン、ポリプロピレンの粉体を同様の化学構造のバインダーで保持して連続多孔質体を形成し、使用することも可能である。
【００３９】
連続多孔質体は平均空隙サイズが小さいほど顕色剤が浸透しやすくなるので、顕色剤が発色剤に接触するまでの時間が短くなる。また空隙率が高まるほど顕色剤が発色剤に接触するまでの時間が長くなる。以上より、空隙率、平均空隙サイズを制御することにより、所望の管理温度以上の環境に曝した後の経過時間をどれだけ長く設定できるか制御が可能となる。数時間、或いは半日程度の短時間の搬送の場合は用いる連続多孔質体の平均空隙サイズを小さくし、空隙率を下げることが好ましい。また１〜２週間程度の長時間搬送の場合は用いる連続多孔質体の平均空隙サイズを大きくし、空隙率を上げることが好ましい。また、長時間搬送の場合は、発色剤を保持する位置を顕色層から離し、顕色剤と発色剤の距離を延ばしてもよい。
【００４０】
＜発色剤＞
発色剤としては、目視では無色、或いは淡色であるが、酸性物質或いは塩基性物質に触れることにより構造が変化し目視で発色する物質が該当する。ただし、ここではおおよそｐＨ５以上ｐＨ８未満の中性付近ではほぼ無色或いは淡色で、おおよそｐＨ５未満で発色する物質を「酸性材料に触れて発色する物質」とし、おおよそｐＨ８以上で発色する物質を「塩基性材料に触れて発色する物質」とする。また物質によっては酸性、中性付近、塩基性でそれぞれ異なる発色を示す化合物もあるので、「酸性材料に触れて発色する物質」と「塩基性材料に触れて発色する物質」両方に記す物質もある。
【００４１】
また、マーキング形成後の商品を種々の角度に傾けて保管する時に流れてしまったりしないよう常温では固体のものが望ましい。
【００４２】
酸性材料と触れて発色する物質としては、メチルバイオレットカルビノールベース、マラカイトグリーンカルビノールベース、チモールブルー、メチルイエロー、メチルオレンジ等が挙げられる。
【００４３】
発色層は、アミノ基を有する高分子を含有することが好ましい。酸性物質に触れて発色する物質は空気中の炭酸ガス、或いはＳＯＸ、ＮＯＸといった酸性のガスに接触しても発色するため、本来着色しない温度領域に保存していても発色する虞がある。アミノ基は塩基性を示すためアミノ基を有する化合物を共存させることによりマーキング形成後も発色剤層材料が常に塩基性に保てる。その結果、酸性ガス暴露による発色を抑制することが可能となる。アミノ基を有する化合物は結晶性が低い高分子、或いは非晶質の高分子であることが好ましい。結晶性が低い或いは非晶質の高分子は、発色剤層材料と混合後、ほぼ均一に分散した状態で発色剤層を形成できる。
【００４４】
アミノ基を有する高分子としては、例えば、ポリエチレンイミン、ポリアリルアミン等が好適である。
【００４５】
塩基性材料に触れて発色する物質としては、チモールブルー、フェノールレッド、フェノールフタレイン、ナフトールフタレイン、クレゾールレッド、アリザニンイエロー等が挙げられる。
【００４６】
ところで、発色剤の材料は発色の際、酸性或いは塩基性の顕色剤層に接触しただけでは発色が弱く、視認性が低い場合がある。その際は、水分を共存させてもよい。水分を含むことにより発色が高くなる発色剤材料もある。例えばフェノールフタレインは水分を共存させないと、ごく薄いピンク色の発色であるが、水分を僅か共存させると良くピンク色発色するようになる。
【００４７】
＜顕色剤＞
顕色剤としては、酸性物質、或いは塩基性物質が用いられる。これに該当する酸性物質としては、カルボキシル基やスルホン酸基を有する物質の溶液が挙げられる。酸性物質が高分子の場合、例えば、リアクリル酸、ポリメタクリル酸、ポリスチレンスルホン酸、スチレンとポリアクリル酸の共重合物、アクリル酸メチルとアクリル酸の共重合物、アクリル酸エチルとアクリル酸の共重合物、アクリル酸プロピルとアクリル酸の共重合物、アクリル酸ブチルとアクリル酸の共重合物、アクリル酸ヘキシルとアクリル酸の共重合物、アクリル酸オクチルとアクリル酸の共重合物、メタクリル酸メチルとアクリル酸の共重合物、メタクリル酸エチルとアクリル酸の共重合物、メタクリル酸プロピルとアクリル酸の共重合物、メタクリル酸ブチルとアクリル酸の共重合物、メタクリル酸ヘキシルとアクリル酸の共重合物、メタクリル酸オクチルとアクリル酸の共重合物、スチレンとポリメタクリル酸の共重合物、アクリル酸メチルとメタクリル酸の共重合物、アクリル酸エチルとメタクリル酸の共重合物、アクリル酸プロピルとメタクリル酸の共重合物、アクリル酸ブチルとメタクリル酸の共重合物、アクリル酸ヘキシルとメタクリル酸の共重合物、アクリル酸オクチルとメタクリル酸の共重合物、メタクリル酸メチルとメタクリル酸の共重合物、メタクリル酸エチルとメタクリル酸の共重合物、メタクリル酸プロピルとメタクリル酸の共重合物、メタクリル酸ブチルとメタクリル酸の共重合物、メタクリル酸ヘキシルとメタクリル酸の共重合物、メタクリル酸オクチルとメタクリル酸の共重合物、スチレンとスチレンスルホン酸の共重合物、アクリル酸メチルとスチレンスルホン酸の共重合物、アクリル酸エチルとスチレンスルホン酸の共重合物、アクリル酸プロピルとスチレンスルホン酸の共重合物、アクリル酸ブチルとスチレンスルホン酸の共重合物、アクリル酸ヘキシルとスチレンスルホン酸の共重合物、アクリル酸オクチルとスチレンスルホン酸の共重合物、メタクリル酸メチルとスチレンスルホン酸の共重合物、メタクリル酸エチルとスチレンスルホン酸の共重合物、メタクリル酸プロピルとスチレンスルホン酸の共重合物、メタクリル酸ブチルとスチレンスルホン酸の共重合物、メタクリル酸ヘキシルとスチレンスルホン酸の共重合物、メタクリル酸オクチルとスチレンスルホン酸の共重合物、ポリアスパラギン酸、ポリグルタミン酸、ポリビニルフェノール等が挙げられ、これらをアルコール系の溶剤に溶解したものを顕色剤として用いることができる。また、酸性物質が脂肪族カルボン酸の場合、具体的には炭素数の大きなオクタン酸、ドデカン酸、テトラデカン酸、ヘキサデカン酸、オクタデカン酸等をアルコール系溶剤に溶解したものを顕色剤として用いることができる。
【００４８】
カルボキシル基を２個有するジカルボン酸の場合、アジピン酸、スベリン酸、セバシン酸、ドデカン酸、テトラデカン酸、ヘキサデカン酸等が挙げられ、これらをアルコール系の溶剤に溶解したものを顕色剤として用いることができる。
【００４９】
次に塩基性物質としては、ポリエチレンイミン、ポリアリルアミン、キトサン、ポリリシン、ポリアルギニン、ポリアニリン等のアミノ基を有する高分子が挙げられ、これらをアルコール系の溶剤に溶解したものを顕色剤として用いることができる。また、脂肪族ジアミンの場合、具体的にはジアミノヘキサン、ジアミノオクタン、ジアミノデカン、ジアミノドデカン等が挙げられ、これらをアルコール系の溶剤に溶解したものを顕色剤として用いることができる。脂肪族モノアミンの場合、具体的にはオクチルアミン、デシルアミン、ドデシルアミン、テトラデシルアミン、ヘキサデシルアミン、オクタデシルアミン等が挙げられ、これらをアルコール系の溶剤に溶解したものを顕色剤として用いることができる。
【００５０】
＜バリア剤＞
バリア剤は、規定の温度になるまでは顕色剤と発色剤とが接触しないようにする役割を果たす。バリア剤はカルボキシル基やスルホン酸基、フェノール性水酸基といった酸性基や、アミノ基のような塩基性基を極力持たない構造が好ましい。これはバリア層が軟化、或いは溶解しなくても、これら酸性基、或いは塩基性基が発色剤と反応して、発色剤が着色してしまう可能性があるからである。
【００５１】
バリア剤の候補材料としては、酸性基や、塩基性基を含まない長鎖の炭化水素、或いは幾つかの分岐のある炭化水素が挙げられる。そのほか長鎖炭化水素鎖、或いは分岐炭化水素鎖を有するアルコール、或いはジオール、ケトン、長鎖炭化水素鎖或いは分岐炭化水素鎖を有するアミド、エーテル、エステル等が挙げられる。
【００５２】
長鎖或いは分岐炭化水素鎖、或いは環状炭化水素鎖の炭化水素としては、デカン（−３０℃）、２−メチルノナン（４６℃）、シクロデカン（９℃）、ドデカン（−１２℃）、テトラデカン（６℃）、ヘキサデカン（１７℃）、オクタデカン（２８℃）等が挙げられる。なおカッコ内は融点である。末端が水酸基のアルコール、或いはジオールとしては、１，３−プロパンジオール（−５９℃）、１，４−ブタンジオール（２０℃）、１，６−ヘキサンジオール（４０℃）、１，２−オクタンジオール（３７℃）、１−オクタノール（−１６℃）、１−デカノール（６℃）、１−ドデカノール（２４℃）、１，２−ドデカンジオール（５８℃）、１，１２−ドデカンジオール（８２℃）、５，６−ドデカンジオール（４７℃）、１−テトラデカノール（３８℃）、２−テトラデカノール（３４℃）、７−テトラデカノール（４２℃）、１−ヘキサデカノール（５０℃）等が挙げられる。ケトン構造を有する材料としては、２−オクタノン（−１６℃）、３−オクタノン（−２３℃）、２−デカノン（３℃）、２−ドデカノン（−２０℃）、３−ドデカノン（−１９℃）、２−テトラデカノン（３５℃）、３−テトラデカノン（３４℃）、３−ヘキサデカノン（４３℃）、プロピオフェノン（１８℃）、ブチロフェノン（１２℃）、イソブチロフェノン（１℃）、ヘキサノフェノン（２６℃）、オクタノフェノン（２２℃）、デカノフェノン（３５℃）、ドデカノフェノン（４５℃）、テトラデカノフェノン（５３℃）、ヘキサデカノフェノン（５９℃）等が挙げられる。
【００５３】
これらバリア剤材料の選定は、マーキングする商品の保管上限温度によって異なる。例えば、肉類を原料とする冷凍食品の場合は−１６℃前後なので、融点が−１６℃の１−オクタノール、或いは２−オクタノンといった化合物をバリア剤として用いるとよい。魚介類等の肉類よりも低温で保管する冷凍食品の場合は、融点が−２３℃の３−オクタノンが候補となる。炭水化物系の商品の場合、もう少し高温で保管を考える場合は融点が−１２℃のドデカンが候補となる。これらのバリア剤は単独で使用することも可能であるが、それよりも高融点の化合物を混合したものを用いても良い。高融点の化合物を混合させることにより結晶性が低下し、非晶質性となるため、バリア剤が緻密となり、発色剤と顕色剤間の遮蔽性が向上するためである。特に類似の構造の化合物を混合することにより非晶質性が高まる。例えば融点が−１２℃のドデカンに対して融点が６℃のテトラデカン、或いは融点が１７℃のヘキサデカンを添加することによりバリア層が非晶質性となり、発色剤層と顕色剤層の間の遮蔽性が向上する。バリア層材料が種々の物質の混合物となっている場合のバリア層が軟化する温度は、混合されている材料の融点、添加率によって変わる。例えばお互いに相溶性の高い融点がＡ℃の材料ａと融点がＢ℃の材料ｂを等量混合した場合は、融点は概ねＡとＢのほぼ中間となる。ただし、２つの材料の融点の差が大きい場合、具体的には５０℃以上になると、バリア層の軟化・或いは溶解する温度は融点の低い方の材料の融点とほぼ同じになる。また相溶性の低い材料同士を用いた場合もバリア層の軟化・或いは溶解する温度は融点の低い方の材料の融点とほぼ同じになる。
【００５４】
温度管理が必要な商品が１０℃未満の保管を要求される医薬品の場合、融点が６℃のテトラデカン、或いは１−デカノール、または融点が３．５℃の２−ドデカンに融点が１７℃のヘキサデカン、或いは融点が１９℃の３−ドデカノン、２０℃の２−ドデカノンを添加して融点をほぼ１０℃調整する。
【００５５】
（２）温度履歴表示体の製造方法
顕色剤、発色剤はそれぞれ、それ自身が液体の場合、連続多孔質部材に接触して浸透させる。それ自身が固体の場合はそれらを溶解する溶媒に溶解し、連続多孔質部材に接触して浸透させる。その際、発色剤は浸透した場所を移動しにくいよう溶媒を乾燥させるが、顕色剤はバリア剤が融解、或いは軟化後、連続多孔質部材中を浸透しやすいよう溶媒が揮発しないことが望まれる。その際は図８に示す透明なフィルムで連続多孔質部材全体を覆い、溶媒の揮発を抑制することが必要となる。
【００５６】
顕色層と、発色層と、バリア層とが同じ連続多孔質体を用いて形成される温度履歴表示体は、例えば以下の方法で作製することができる。まず、連続多孔質体の所定の位置にバリア剤を塗布する。バリア剤は、連続多孔質体を加温しバリア剤を溶解させながら塗布するとよい。その後、バリア剤が塗布された連続多孔質体をすばやく冷却することにより、バリア剤の連続多孔質体内部への拡散を抑制する。次に、バリア剤塗布後の連続多孔質体の所定の部分に顕色剤を浸透させる。このとき、バリア剤が融解しない温度に制御しておく。さらに、連続多孔質体に発色剤を所定の間隔で浸透させる。このようにして温度履歴表示体を形成できる。
【００５７】
（３）温度履歴表示体の適用方法
上述したとおり、本発明に係る温度履歴表示体によれば、管理温度を逸脱した時刻を特定可能である。図１５を用いて本発明に係る温度履歴表示体の適用方法の一例を説明する。図１５は、ある商品が、製造会社の管理部署の指示で工場から複数の配送業者を経て顧客に届けられるスキームを示す。この図では最初の配送業者、２番目の配送業者、３番目の配送業者を経て、顧客に商品が配送される。また配送業者が商品を預かった時刻、及び次の配送業者等に渡した時刻のデータは管理センタに伝えられる。例えば、２番目の配送業者が配送時に管理温度を逸脱した場合は、３番目以降の配送業者が管理温度を逸脱したことを確認可能である。しかし、ここで管理温度を逸脱した時刻が判らないデバイスの場合は２番目の配送業者が「自分が受け取った時は既に管理温度を逸脱していた」というコメントをされると３番目以降の配送業者がその回答を否定できなかった。しかし本デバイスを用いた場合は、管理温度を逸脱した時刻を特定可能であるので、３番目以降の配送業者がその回答の真偽を知ることが可能となる。
【００５８】
輸送時に、本デバイスの発色の確認ができない場合であっても、商品が顧客に配送された際に、本デバイスを確認することにより、管理温度を逸脱した時刻を特定できるため、その時刻を管理センタに伝えることで、管理温度以上に曝した配送業者を特定できる。その結果、損害賠償請求等の対応が可能となる。
【００５９】
本発明に係る実施例を以下に示す。
【実施例１】
【００６０】
（１）温度履歴表示体の作製
平均分子量２５０，０００のポリアクリル酸（１０ｇ）を水（１９０ｇ）と混合し、約６０℃に加温しながらオーバーヘッドスターラーで撹拌してポリアクリル酸を溶解させ、５重量％ポリアクリル酸水溶液を調製した。これを顕色剤とした。なお、ポリアクリル酸はカルボキシル基を有する酸性の高分子である。
【００６１】
次に融点が９℃のシクロデカンと融点が６℃のテトラデカンを同重量ガラス容器に入れ、オーバーヘッドスターラーで撹拌、混合し、バリア剤を調製した。調製されたバリア剤の融点を調べたところ、約８℃であった。
【００６２】
次にマラカイトグリーンカルビノールベース（１０ｇ）を２−ブタノン１９０ｇに溶解し、マラカイトグリーンカルビノールベースの５重量％２−ブタノン溶液を調製した。これを発色剤とした。なお、マラカイトグリーンカルビノールベースは２−ブタノン溶液の状態では淡褐色であるが、酸性物質と接触すると、濃い緑色に変色する。
【００６３】
連続多孔質体として長さ２００ｍｍ、幅１０ｍｍの長方形に切断した東洋濾紙製定量ろ紙５Ｃを用いた。このろ紙の長辺端部から９０ｍｍ〜１１０ｍｍのところに、２０℃程度に加温し融解したバリア剤を塗布した。また、ろ紙はペルチェ素子で表面を０℃に冷却した厚さ１ｍｍのアルミニウム板の上に置いた。これにより、塗布したバリア剤がすぐに固化するため、塗布後のろ紙内部への拡散を抑制できる。
【００６４】
バリア剤塗布後のろ紙は、長辺で見た場合、バリア剤塗布部分を中心として、両端までどちらも９０ｍｍは未塗布部分になる。このうちの片方の端部を顕色剤の入った容器に入れ、顕色剤を浸透させる。この際、気温、及び顕色剤の温度は５℃以下に制御しておいた。また、ろ紙のもう片方の端部には発色剤で直径約２ｍｍの円形ドットを描画し、その後、乾燥空気を吹きつけ、溶媒の２−ブタノンを揮発させた。このようにして温度履歴表示体を作製した。
【００６５】
（２）温度・時間トレーサビリティ実験
裏面にペルチェ素子を複数個貼り付けたＳＵＳ３０４板表面に上記方法で製したデバイスを貼付した。その際のＳＵＳ３０４板の表面温度は約５℃であった。その後、温度を８℃にしたところ、２〜３秒ほどでバリア剤が融解した。それとともに顕色剤がバリア剤塗布部分に浸透し、更に発色剤を塗布したろ紙端部目指して浸透し続けた。約１０分後、発色剤で描画したドットが無色から緑色に発色した。温度を８℃にする前、ドットとバリア剤の距離は約９０ｍｍであった。
【００６６】
用いるろ紙の長辺を２９０ｍｍとし、顕色剤含浸部分を片方の端部から９０ｍｍまでのところとし、次にバリア剤をそこから長辺方向に２０ｍｍ塗布し、更にろ紙のもう片方の端部に発色剤で描画した直径約２ｍｍの円形ドットを描画した。上記と同様の実験を行ったところ、温度を８℃にしたところ、やはり２〜３秒ほどでバリア剤が融解した。それとともに顕色剤がバリア剤塗布部分に浸透し、更に発色剤を塗布したろ紙端部目指して浸透し続けた。約２０分後、発色剤で描画したドットが無色から緑色に発色した。温度を８℃にする前、ドットとバリア剤の距離は約１８０ｍｍであった。
【００６７】
なお、ドットとバリア剤の距離を約２７０ｍｍにすることで、発色剤で描画したドットが無色から緑色に発色するまでに要する時間は３０分となった。
【００６８】
以上より、本発明の温度履歴表示体は保管温度が５℃から８℃に上昇した事象が１０〜３０分前であることが視認可能なデバイスとして機能することが明らかになった。
【００６９】
またバリア剤の塗布部分と発色剤のドットの距離を調整することにより、保管温度以上の状態に曝されてからの時間が見積もれることが明らかになった。
【実施例２】
【００７０】
バリア剤を９℃のシクロデカンと融点が６℃の１−デカノールを同重量ずつ混合したものを用いたこと以外は実施例１と同様の方法で温度履歴表示体を形成した。調製されたバリア剤の融点を調べたところ、約７℃であった。
【００７１】
次にこのデバイスを用いて実施例１のデバイスと同様の実験を試みた。具体的にはＳＵＳ３０４板の表面温度を５℃から８℃に高めたところ、ＳＵＳ３０４板に貼付していたデバイス中のバリア剤が融解し、約１０分後、発色剤で描画したドットが無色から緑色に発色した。バリア剤と発色剤ドットの距離は約９０ｍｍであった。
【００７２】
以上より、バリア剤を変えても所定の保管温度を超えた時刻を特定することが可能であることが明らかになった。
【実施例３】
【００７３】
顕色剤として平均分子量７０，０００のポリエチレンイミンの１０重量％水溶液を用い、発色剤としてフェノールフタレインの５重量％の２−ブタノン溶液を用いたこと以外は実施例１と同様にして温度履歴表示体を形成した。
【００７４】
次にこのデバイスを用いて実施例１のデバイスと同様の実験を試みた。具体的にはＳＵＳ３０４板の表面温度を５℃から８℃に高めたところ、ＳＵＳ３０４板に貼付していたデバイス中のバリア剤が融解し、約１０分後、発色剤で描画したドットが無色から赤色に発色した。バリア剤と発色剤ドットの距離は約９０ｍｍであった。
【００７５】
以上より、所定の保管温度を超えた時刻を特定することが可能であることが明らかになった。
【実施例４】
【００７６】
連続多孔質体としてポリエチレン製連続多孔質部材（長さ；２００ｍｍ、幅；１０ｍｍ、厚さ；２ｍｍ空隙率９５％、平均空隙の短辺サイズ；０．１〜０．３ｍｍ）を用いたこと以外は実施例１と同様にして本発明のデバイスを形成した。
【００７７】
次にこのデバイスを用いて実施例１のデバイスと同様の実験を試みた。具体的にはＳＵＳ３０４板の表面温度を５℃から８℃に高めたところ、ＳＵＳ３０４板に貼付していたデバイス中のバリア剤が融解し、約３０分後、発色剤で描画したドットが無色から赤色に発色した。バリア剤と発色剤ドットの距離は約９０ｍｍであった。
【００７８】
以上より、ポリエチレン製の連続多孔質体を用いた温度履歴表示体であっても、所定の保管温度を超えた時刻が目視で特定可能であることが明らかになった。
【００７９】
次に用いるろ紙の長辺を２９０ｍｍとし、顕色剤含浸部分を片方の端部から９０ｍｍまでのところとし、次にバリア剤をそこから長辺方向に２０ｍｍ塗布し、更にろ紙のもう片方の端部に発色剤で描画した直径約２ｍｍの円形ドットを描画した。上記と同様の実験を行ったところ、温度を８℃にしたところ、やはり２〜３秒ほどでバリア剤が融解した。それとともに顕色剤がバリア剤塗布部分に浸透し、更に発色剤を塗布したろ紙端部目指して浸透し続けた。約６０分後、発色剤で描画したドットが無色から緑色に発色した。温度を８℃にする前、ドットとバリア剤の距離は約１８０ｍｍであった。
【００８０】
なお、ドットとバリア剤の距離を約２７０ｍｍにすることで、発色剤で描画したドットが無色から緑色に発色するまでに要する時間は９０分となった。
【００８１】
以上より、本発明に係る温度履歴表示体は、連続多孔質部材が異なる材質、空隙等であっても管理温度以上の温度でバリア層が溶解し、しかも管理温度以上になった時間をさかのぼって調べることが可能であることが判った。
【符号の説明】
【００８２】
１…顕色層、２…バリア層、３…ドット状の発色剤、４…発色層、５…粘着層、６…離形フィルム、７…商品、８…発色した発色剤、９…目盛、１０…発色層、１１…主鎖部、１２…枝部、１３…発色層、１４…主鎖部、１５…枝部、１６…発色層、１７…フィルム、１８…白色の部材、１９…アルミ粒子を分散した粘着層、２０…顕色剤と発色剤とを遮断する遮断部材
【図１】
2018184488.tif 000003
【図２】
2018184488.tif 000004
【図３】
2018184488.tif 000005
【図４】
2018184488.tif 000006
【図５】
2018184488.tif 000007
【図６】
2018184488.tif 000008
【図７】
2018184488.tif 000009
【図８】
2018184488.tif 000010
【図９】
2018184488.tif 000011
【図１０】
2018184488.tif 000012
【図１１】
2018184488.tif 000013
【図１２】
2018184488.tif 000014
【図１３】
2018184488.tif 000015